(57)【要約】【課題】冷気エアカーテンを形成する機能を備えたオープンショーケースにおいて、冷蔵商品に代えて温かい惣菜等を商品陳列室内に陳列した場合には商品陳列室内への虫の入り込みを防止できるようにする。【解決手段】内部に商品陳列室３を有し、正面に開口４を有する本体ケース２と、本体ケースの内周面に沿って形成され、冷凍装置７により生成された冷気が送風されるダクト６と、ダクトの手前側上部に形成され、ダクト内を送風された冷気が開口を覆う冷気エアカーテンＡを形成するように下向きに吹き出す冷気吹出口１３と、本体ケースの上部に取付けられ、室内の空気を吸い込んでその空気を開口を覆う室温空気エアカーテンＢを形成するように下向きに吹き出す室温空気エアカーテンユニット１５と、を有し、室温空気エアカーテンが形成される位置は、冷気エアカーテンが形成される位置より外側である。【選択図】図１
2018033817.tif 000002
【特許請求の範囲】
【請求項１】
内部に商品陳列室を有し、正面に開口を有する本体ケースと、
前記本体ケースの内周面に沿って形成され、冷凍装置により生成された冷気が送風されるダクトと、
前記ダクトの手前側上部に形成され、前記ダクト内を送風された冷気が前記開口を覆う冷気エアカーテンを形成するように下向きに吹き出す冷気吹出口と、
前記ダクトの手前側下部に形成され、前記冷気吹出口から吹き出した冷気が前記ダクト内に吸込まれる冷気吸込口と、
前記本体ケースの上部に取付けられ、室内の空気を吸い込んでその空気を前記開口を覆う室温空気エアカーテンを形成するように下向きに吹き出す室温空気エアカーテンユニットと、
を有し、
前記室温空気エアカーテンが形成される位置は、前記冷気エアカーテンが形成される位置より外側であることを特徴とするオープンショーケース。
【請求項２】
前記室温空気エアカーテンユニットは、前記本体ケースに後付け可能に取付けられていることを特徴とする請求項１記載のオープンショーケース。
【請求項３】
前記室温空気エアカーテンユニットの電源スイッチと前記冷凍装置の冷却・非冷却切換スイッチとが連動するように設けられ、前記冷却・非冷却切換スイッチが非冷却状態に切換えられている場合に前記電源スイッチがオンに切換えられていることを特徴とする請求項１又は２記載のオープンショーケース。
【請求項４】
前記室温空気エアカーテンユニットは、前記室温空気エアカーテンの風速を調整する風速調整部を備えることを特徴とする請求項１ないし３のいずれか一項に記載のオープンショーケース。
【発明の詳細な説明】
【技術分野】
【０００１】
本発明は、冷蔵商品又は温かい惣菜等を選択的に陳列する場合に使用されるオープンショーケースに関する。
【背景技術】
【０００２】
従来、スーパーマーケットやコンビニエンスストア等の店舗では、内部に商品陳列室を有するとともに正面に開口を有する本体ケースを備えたオープンショーケースが使用されている。
【０００３】
このようなオープンショーケースとしては、本体ケースの内周面に沿って略コの字型のダクトが形成され、冷凍装置により生成された冷気がダクト内に送風されるものが普及している。ダクト内に送風された冷気は、ダクトの手前側上部に形成された冷気吹出口から下向きに吹き出して開口を覆う冷気エアカーテンを形成し、冷気吹出口から吹き出した冷気はダクトの手前側下部に形成された冷気吸込口からダクト内に吸い込まれる。そして、冷気エアカーテン及びダクト内を流れる冷気により、商品陳列室内に陳列されている冷蔵商品が冷蔵される。
【０００４】
ところで、このような冷凍装置を備えたオープンショーケースの商品陳列室内には、冷蔵商品に代えて温かい惣菜等を陳列する場合があり、その場合には冷凍装置を停止させている。
【０００５】
そして、オープンショーケースの商品陳列室内に温かい惣菜等を陳列した場合には、惣菜等の匂いに誘われた虫が商品陳列室内に入り込む場合がある。
【０００６】
商品陳列室内への虫の入り込みを防止するためには、冷凍装置を構成する各種部品（冷媒を圧縮する圧縮機、圧縮された冷媒を凝縮する凝縮器、凝縮した冷媒を断熱膨張させる膨張弁、膨張した冷媒を蒸発させる蒸発器、蒸発器に向けて送風するファン等）のうち、ファンのみを駆動させ、室温の空気をダクト内に送風し、室温空気エアカーテンで開口を覆うようにすることが考えられる。しかしその場合には、室温空気エアカーテンにより流された虫が冷気吸込口からダクト内に吸込まれるので、ダクト内に吸込まれた虫の清掃に手間がかかるという問題がある。
【０００７】
また、商品陳列室内への虫の入り込みを防止するようにしたオープンショーケースとしては、下記特許文献１に記載されたものが知られている。
【先行技術文献】
【特許文献】
【０００８】
【特許文献１】特開２００３−３１０３９７号公報
【発明の概要】
【発明が解決しようとする課題】
【０００９】
しかしながら、特許文献１に記載されているオープンショーケースは冷凍装置を有しないタイプであり、商品陳列室内には冷蔵する必要がない商品、例えば、暖かい惣菜等を陳列することを前提としている。そして、このオープンショーケースでは商品陳列室内への虫の入り込みを防止するため、ケースの上部に送風部が設けられ、送風部から室内の空気を送風することによりオープンショーケースの前面開口部を覆う室温空気エアカーテンを形成している。
【００１０】
また、このオープンショーケースでは、送風部はオープンショーケースを製造した当初から設けられており、商品陳列室内への虫の入り込みを防止するための送風部を後付けするということは行われていない。
【００１１】
本発明は、このような課題を解決するためになされたものであり、その目的は、冷気エアカーテンを形成する機能を備えて冷蔵商品を商品陳列室内に陳列可能なオープンショーケースにおいて、冷蔵商品に代えて温かい惣菜等を商品陳列室内に陳列した場合に、商品陳列室内への虫の入り込みを防止することができるオープンショーケースを提供することである。
【課題を解決するための手段】
【００１２】
本発明に係るオープンショーケースは、内部に商品陳列室を有し、正面に開口を有する本体ケースと、前記本体ケースの内周面に沿って形成され、冷凍装置により生成された冷気が送風されるダクトと、前記ダクトの手前側上部に形成され、前記ダクト内を送風された冷気が前記開口を覆う冷気エアカーテンを形成するように下向きに吹き出す冷気吹出口と、前記ダクトの手前側下部に形成され、前記冷気吹出口から吹き出した冷気が前記ダクト内に吸込まれる冷気吸込口と、前記本体ケースの上部に取付けられ、室内の空気を吸い込んでその空気を前記開口を覆う室温空気エアカーテンを形成するように下向きに吹き出す室温空気エアカーテンユニットと、を有し、前記室温空気エアカーテンが形成される位置は、前記冷気エアカーテンが形成される位置より外側であることを特徴とする。
【００１３】
また、前記室温空気エアカーテンユニットは、前記本体ケースに後付け可能に取付けられていることが望ましい。
【００１４】
また、前記室温空気エアカーテンユニットの電源スイッチと前記冷凍装置の冷却・非冷却切換スイッチとが連動するよう設けられ、前記冷却・非冷却切換スイッチが非冷却状態に切換えられている場合に前記電源スイッチがオンに切換えられていることが望ましい。
【００１５】
また、前記室温空気エアカーテンユニットは、前記室温空気エアカーテンの風速を調整する風速調整部を備えることが望ましい。
【発明の効果】
【００１６】
商品陳列室内に冷蔵商品を陳列した場合には、冷凍装置を駆動させて冷気を生成し、その冷気をダクト内に送風させるとともに冷気吹出口から吹き出した冷気により開口を覆う冷気エアカーテンを形成することにより、商品陳列室内に陳列された冷蔵商品を冷蔵することができる。また、商品陳列室内に暖かい惣菜等を陳列した場合には、冷凍装置の駆動を停止させ、室温空気エアカーテンユニットを駆動させ、室内の空気を下向きに吹き出して開口を覆う室温空気エアカーテンを形成し、この室温空気エアカーテンが形成される位置を冷気エアカーテンが形成される位置より外側とすることにより、虫が商品陳列室内に入り込むことを防止することができるとともに、虫が冷気吸込口からダクト内に吸込まれることを防止することができる。
【００１７】
また、室温空気エアカーテンユニットは、本体ケースに後付け可能に取付けられているので、既に使用されている既存のオープンショーケースに対して、室温空気エアカーテンユニットを後付けすることができ、既存のオープンショーケースに室温空気エアカーテンユニットを後付けすることにより、商品陳列室内に暖かい惣菜等を陳列する場合においてもその商品陳列室内への虫の入り込みを防止することができるようになる。
【００１８】
また、室温空気エアカーテンユニットの電源スイッチと冷凍装置の冷却・非冷却切換スイッチとが連動し、冷却・非冷却切換スイッチが非冷却状態に切換えられている場合に電源スイッチがオンに切換えられる。したがって、商品陳列室内に暖かい惣菜等を陳列するために冷凍装置の冷却・非冷却切換スイッチが非冷却状態に切換えられている場合には、室温空気エアカーテンユニットの電源スイッチがオンに切り替えられ、確実に室温空気エアカーテンユニットが駆動され、商品陳列室内への虫の入り込みを防止することができる。
【００１９】
また、室温空気エアカーテンユニットは、室温空気エアカーテンの風速を調整する風速調整部を備えているので、室温空気エアカーテンの流速を調整し、商品を購入しようとする顧客に対して不快感を与えないようにすることができるとともに、商品陳列室内への虫の入り込みをより一層確実に防止することができる。
【図面の簡単な説明】
【００２０】
【図１】本発明の一実施形態のオープンショーケースの全体構成を示す断面側面図である。
【図２】オープンショーケースにおける室温空気エアカーテンユニットの部分を拡大して示す断面側面図である。
【発明を実施するための形態】
【００２１】
本発明の一実施形態について、図面に基づいて説明する。図１はオープンショーケース１の全体構成を示す断面側面図であり、図２はその一部を拡大して示す断面側面図である。このオープンショーケース１は、断面形状コの字型に形成された断熱部材からなる本体ケース２を有し、この本体ケース２の内部には商品陳列室３が形成され、本体ケース２の正面側には開口４が形成されている。商品陳列室３内には、陳列する商品が載置される複数の商品陳列棚５が上下方向に配列されている。
【００２２】
本体ケース２の内部には、内周面に沿って略コの字型のダクト６が形成され、このダクト６内には冷凍装置７により生成された冷気が矢印で示す方向に送風されるようになっている。冷凍装置７は、冷媒を圧縮する圧縮機（図示せず）、圧縮された冷媒を凝縮させる凝縮器（図示せず）、凝縮された冷媒を断熱膨張させる膨張弁（図示せず）、断熱膨張した冷媒を蒸発させる蒸発器１１、送風用のファン１２等により構成されている。
【００２３】
ダクト６の手前側上部には、ダクト６内を送風された冷気が矢印で示すように下向きに吹き出す冷気吹出口１３が形成され、冷気吹出口１３から吹き出した冷気により開口４を覆う冷気エアカーテンＡが形成される。ダクト６の手前側下部には、冷気吹出口１３から吹き出した冷気がダクト６内に吸い込まれる冷気吸込口１４が形成されている。
【００２４】
本体ケース２の上部には、室温空気エアカーテンユニット１５が後付け可能に取付けられている。この室温空気エアカーテンユニット１５は、オープンショーケース１が設置されている室内の空気（室温空気）を吸込み、吸込んだ室温空気を下向きに吹き出して開口４を覆う室温空気エアカーテンＢを形成するものである。
【００２５】
室温空気エアカーテンユニット１５は、本体ケース２の上部に位置し、本体ケース２の正面側に向けて水平向きに張り出すとともにその先端部がＲ形状に下向きに湾曲したガラス製の天井フード１６と、送風用のファン１７を収容したファンケース１８と、一端がファンケース１８に接続されて他端が天井フード１６の上面に沿って延出するとともにその先端に下向きに開口する吹出口１９を有するアクリル製のエアガイド２０とを備えている。ファンケース１８の後方側端部には、室温空気エアカーテンユニット１５を本体ケース２の上部に取付けた場合に、室温空気エアカーテンユニット１５が本体ケース２から外れないように本体ケース２の上部に引っ掛けるための引掛部２１が設けられている。ファン１７が駆動されることにより室内の空気がファンケース１８内に吸込まれ、ファンケース１８内の吸込まれた空気は矢印で示すようにエアガイド２０内を送風され、さらに、吹出口１９から下向きに吹き出す。吹出口１９から吹き出した空気により、開口４を覆う室温空気エアカーテンＢが形成される。この室温空気エアカーテンＢが形成される位置は、冷気エアカーテンＡが形成される位置より外側とされ、かつ、室温空気エアカーテンＢの下端部は本体ケース２内に入り込まない位置とされている。
【００２６】
なお、本実施の形態では、ガラス製の天井フード１６と、アクリル製のエアガイド２０とを使用した場合を例に挙げて説明したが、これらの天井フード１６やエアガイド２０は透明で一定の強度を有する材料で形成されていればよい。例えば、天井フード１６をアクリル製とし、エアガイド２０をガラス製としてもよく、又は、天井フード１６とエアガイド２０とを共にアクリル製、又は、ガラス製としてもよい。
【００２７】
また、室温空気エアカーテンユニット１５には、この室温空気エアカーテンユニット１５をオン・オフする電源スイッチ２２が設けられている。この電源スイッチ２２は、単独でオン・オフの切換えが可能であるとともに、冷凍装置７をオン・オフさせる冷却・非冷却切換スイッチ（図示せず）と連動するように設けられており、冷却・非冷却切換スイッチがオフ（非冷却状態）に切換えられている場合には電源スイッチ２２がオンに切換えられるようになっている。
【００２８】
また、室温空気エアカーテンユニット１５には、室温空気エアカーテンの風速を調整する風速調整部２３が設けられている。この風速調整部２３は、ファンケース１８の後方側上部に取付けられている。なお、この風速調整部２３の取付位置はファンケース１８の後方側上部に限る必要はなく、買い物をする顧客が容易に触れることができない位置であればよく、例えば、顧客の通路から離れた位置の床面等であってもよい。
【００２９】
また、室温空気エアカーテンユニット１５には、ファン１７の駆動時に室内の空気がファンケース１８内に吸込まれる箇所にフィルター２４が設けられている。
【００３０】
このような構成において、このオープンショーケース１では、商品陳列室３内に陳列する商品を、必要に応じて冷蔵商品又は温かい惣菜等に変更することができる。
【００３１】
商品陳列室３内に冷蔵商品を陳列した場合には、冷却・非冷却スイッチを冷却状態に切換えることにより冷凍装置７をオンにする。冷凍装置７がオンになった場合には、圧縮機内で冷媒が圧縮されるとともにその冷媒が凝縮器内で凝縮され、さらに、膨張弁内で膨張された後に蒸発器１１内で蒸発する。そして、冷媒が蒸発器１１内で蒸発することによりダクト６内で冷気が生成され、生成された冷気はファン１２が駆動されることによりダクト６内を矢印で示す方向に送風される。ダクト６内を送風された冷気は、冷気吹出口１３から下向きに吹き出し、開口４を覆う冷気エアカーテンＡが形成される。そして、この冷気エアカーテンＡと、ダクト６内を送風される冷気とにより商品陳列室３内に陳列されている冷蔵商品が冷蔵される。
【００３２】
つぎに、商品陳列室３内に暖かい惣菜等を陳列する場合には、冷却・非冷却スイッチを非冷却状態に切換えることにより冷凍装置７をオフにし、ダクト６内での冷気の生成を停止させる。また、冷却・非冷却スイッチが非冷却状態に切換えられることにより、室温空気エアカーテンユニット１５の電源スイッチ２２がオンになり、室温空気エアカーテンユニット１５が駆動される。
【００３３】
室温空気エアカーテンユニット１５が駆動されることにより、室内の空気がファンケース１８内に吸込まれ、吸込まれた空気はエアガイド２０内を送風され、吹出口１９から下向きに吹き出し、開口４を覆う室温空気エアカーテンＢが形成される。
【００３４】
ここで、商品陳列室３内に暖かい惣菜等を陳列した場合には、陳列された惣菜等の匂いに誘われた虫が集まってくる。しかし、開口４は室温空気エアカーテンＢで覆われているため、集まった虫が商品陳列室３内に入り込むことを室温空気エアカーテンＢにより防止することができる。また、この室温空気エアカーテンＢが形成されている位置は、冷気エアカーテンＡが形成される位置より外側とされ、かつ、室温空気エアカーテンＢの下端部は本体ケース２内に入り込まない位置とされているため、室温空気エアカーテンＢにより流された虫が冷気吸込口１４を通ってダクト６内に入り込むことを防止することができる。
【００３５】
室温空気エアカーテンユニット１５には、ファン１７の駆動時に室内の空気がファンケース１８内に吸込まれる箇所にフィルター２４が設けられているため、吹出口１９から吹出して室温空気エアカーテンＢを形成する空気は清浄な空気となっている。このため、室温空気エアカーテンに埃が含まれてその埃が商品陳列室３内に入り込むということを防止することができる。
【００３６】
室温空気エアカーテンユニット１５の電源スイッチ２２と冷凍装置７の冷却・非冷却切換スイッチとは連動し、冷却・非冷却切換スイッチが非冷却状態に切換えられている場合に電源スイッチ２２がオンに切換えられる。このため、商品陳列室３内に暖かい惣菜等を陳列するために冷凍装置７の冷却・非冷却切換スイッチが非冷却状態に切換えられている場合には、室温空気エアカーテンユニット１５の電源スイッチ２２がオンに切り替えられ、室温空気エアカーテンユニット１５を確実に駆動させることができ、商品陳列室３内への虫の入り込みを確実に防止することができる。
【００３７】
また、室温空気エアカーテンユニット１５は、室温空気エアカーテンＢの風速を調整する風速調整部２３を備えているので、室温空気エアカーテンＢの流速を調整し、商品を購入しようとする顧客に対して不快感を与えないようにすることができる。また、オープンショーケース１の近くにいる虫の種類等に応じて室温空気エアカーテンＢの流速を調整することにより、商品陳列室３内への虫の入り込みをより一層確実に防止することができる。
【００３８】
また、室温空気エアカーテンユニット１５は、本体ケース２に後付け可能に取付けられているので、既に使用されている既存のオープンショーケースに対して、室温空気エアカーテンユニット１５を後付けすることができる。このため、既存のオープンショーケースにおいて室温空気エアカーテンユニット１５を後付けすることにより、既存のオープンショーケースの商品陳列室３内に暖かい惣菜等を陳列する場合にも、その商品陳列室３内への虫の入り込みを防止することができるようになる。
【符号の説明】
【００３９】
１    オープンショーケース
２    本体ケース
３    商品陳列室
４    開口
５    商品陳列棚
６    ダクト
７    冷凍装置
１１    蒸発器
１２    ファン
１３    冷気吹出口
１４    冷気吸込口
１５    室温空気エアカーテンユニット
１６    天井フード
１７    ファン
１８    ファンケース
１９    吹出口
２０    エアガイド
２１    引掛部
２２    電源スイッチ
２３    風速調整部
２４    フィルター
Ａ      冷気エアカーテン
Ｂ      室温空気エアカーテン
-
【図１】
2018033817.tif 000003
【図２】
2018033817.tif 000004